(57)【要約】  位置特定サービスの一助として位置情報を送信するための技法が説明される。一設計においては、送信機は、送信機の位置のための座標情報と不確実性情報とを含むメッセージを生成することができる。座標情報は、送信機の水平位置のための緯度と、経度と、可能なことに高度と、を含むことができる。不確実性情報は、送信機の水平位置の不確実性と、可能なことに高度の不確実性と、を含むことができる。水平位置の不確実性は、送信機の緯度及び経度を中心とする円の半径によって与えることができる。高度の不確実性は、送信機の高度からの偏差によって与えることができる。送信機は、無線ネットワーク内の少なくとも１つの受信機にメッセージを送信することができる。送信機は、そのカバレッジ内の端末にメッセージをブロードキャストすることができる基地局であることができる。
2011524525.tif 000002
【特許請求の範囲】
【請求項１】
無線通信のための方法であって、
送信機の位置のための座標情報と不確実性情報とを備えるメッセージを前記送信機において生成することと、
前記送信機から無線ネットワーク内の少なくとも１つの端末に前記メッセージを送信すること、とを備える、無線通信のための方法。
【請求項２】
前記座標情報は、前記送信機の水平位置のための緯度と経度とを備え、前記不確実性情報は、前記送信機の前記水平位置の不確実性を備える請求項１に記載の方法。
【請求項３】
前記送信機の前記水平位置の前記不確実性は、前記送信機の前記緯度及び経度を中心とする円の半径によって与えられる請求項２に記載の方法。
【請求項４】
前記メッセージは、緯度フィールドと経度フィールドとを備え、前記緯度フィールドは、前記送信機の前記緯度又は前記緯度が不明である場合は第１の指定された値を搬送し、前記経度フィールドは、前記送信機の前記経度又は前記経度が不明である場合は第２の指定された値を搬送する請求項２に記載の方法。
【請求項５】
前記座標情報は、前記送信機の高度をさらに備え、前記不確実性情報は、前記送信機の前記高度の不確実性をさらに備える請求項２に記載の方法。
【請求項６】
前記送信機の前記高度の前記不確実性は、前記送信機の前記高度からの偏差によって与えられる請求項５に記載の方法。
【請求項７】
前記メッセージは、前記送信機の前記高度又は前記高度が不明である場合は指定された値を搬送する高度フィールドを備える請求項５に記載の方法。
【請求項８】
前記送信機は、基地局である請求項１に記載の方法。
【請求項９】
前記メッセージは、オーバーヘッドメッセージであり、前記メッセージを前記送信することは、前記基地局から前記基地局のカバレッジ内の端末に前記オーバーヘッドメッセージをブロードキャストすることを備える請求項８に記載の方法。
【請求項１０】
前記メッセージは、ユニキャストメッセージであり、前記メッセージを前記送信することは、前記基地局から特定の端末に前記ユニキャストッセージを送信することを備える請求項８に記載の方法。
【請求項１１】
前記メッセージは、ＩＳ−２０００におけるシステムパラメータメッセージ又はＭＣ−ＲＲパラメータメッセージである請求項１に記載の方法。
【請求項１２】
無線通信のための装置であって、
送信機の位置のための座標情報と不確実性情報とを備えるメッセージを前記送信機において生成し、及び前記送信機から無線ネットワーク内の少なくとも１つの端末に前記メッセージを送信するように構成された少なくとも１つのプロセッサを備える、無線通信のための装置。
【請求項１３】
前記座標情報は、前記送信機の水平位置のための緯度と経度とを備え、前記不確実性情報は、前記送信機の前記水平位置の不確実性を備える請求項１２に記載の装置。
【請求項１４】
前記座標情報は、前記送信機の高度をさらに備え、前記不確実性情報は、前記送信機の前記高度の不確実性をさらに備える請求項１３に記載の装置。
【請求項１５】
前記送信機の前記水平位置の前記不確実性は、前記送信機の前記緯度及び経度を中心とする円の半径によって与えられ、前記送信機の前記高度の前記不確実性は、前記送信機の前記高度からの偏差によって与えられる請求項１４に記載の装置。
【請求項１６】
無線通信のための装置であって、
送信機の位置のための座標情報と不確実性情報とを備えるメッセージを前記送信機において生成するための手段と、
前記送信機から無線ネットワーク内の少なくとも１つの端末に前記メッセージを送信するための手段と、を備える、無線通信のための装置。
【請求項１７】
前記座標情報は、前記送信機の水平位置のための緯度と経度とを備え、前記不確実性情報は、前記送信機の前記水平位置の不確実性を備える請求項１６に記載の装置。
【請求項１８】
前記座標情報は、前記送信機の高度をさらに備え、前記不確実性情報は、前記送信機の前記高度の不確実性をさらに備える請求項１７に記載の装置。
【請求項１９】
前記送信機の前記水平位置の前記不確実性は、前記送信機の前記緯度及び経度を中心とする円の半径によって与えられ、前記送信機の前記高度の前記不確実性は、前記送信機の前記高度からの偏差によって与えられる請求項１８に記載の装置。
【請求項２０】
コンピュータプログラム製品であって、
送信機の位置のための座標情報と不確実性情報とを備えるメッセージを前記送信機において生成することを少なくとも１つのコンピュータに行わせるための符号と、
前記送信機から無線ネットワーク内の少なくとも１つの受信機に前記メッセージを送信することを前記少なくとも１つのコンピュータに行わせるための符号と、を備えるコンピュータによって読み取り可能な媒体、を備える、コンピュータプログラム製品。
【請求項２１】
無線通信のための方法であって、
基地局の緯度を搬送する緯度フィールドと、前記基地局の経度を搬送する経度フィールドと、前記基地局の水平位置の不確実性を搬送する水平位置不確実性フィールドと、を備えるオーバーヘッドメッセージを前記基地局において生成することと、
前記基地局から前記基地局のカバレッジ内の端末に前記オーバーヘッドメッセージをブロードキャストすること、とを備える、無線通信のための方法。
【請求項２２】
前記オーバーヘッドメッセージは、前記基地局の高度を搬送する高度フィールドと、前記基地局の前記高度の不確実性を搬送する垂直位置不確実性フィールドと、をさらに備える請求項２１に記載の方法。
【請求項２３】
前記オーバーヘッドメッセージは、前記水平位置不確実性フィールドと、前記高度フィールドと、前記垂直位置不確実性フィールドとを含む前記オーバーヘッドメッセージを示すために第１の値に設定され又は前記水平位置不確実性フィールド、前記高度フィールド、及び前記垂直位置不確実性フィールドを省略した前記オーバーヘッドメッセージを示すために第２の値に設定されるインジケータフィールドをさらに備える請求項２２に記載の方法。
【請求項２４】
無線通信のための方法であって、
送信機によって生成されて無線ネットワーク内の少なくとも１つの受信機に送信されたメッセージを端末において受信することと、
前記メッセージから前記送信機の位置のための座標情報及び不確実性情報を得ること、とを備える、無線通信のための方法。
【請求項２５】
前記座標情報は、前記送信機の水平位置のための緯度と経度とを備え、前記不確実性情報は、前記送信機の前記水平位置の不確実性を備える請求項２４に記載の方法。
【請求項２６】
前記座標情報は、前記送信機の高度をさらに備え、前記不確実性情報は、前記送信機の前記高度の不確実性をさらに備える請求項２５に記載の方法。
【請求項２７】
前記送信機の前記水平位置の前記不確実性は、前記送信機の前記緯度及び経度を中心とする円の半径によって与えられ、前記送信機の前記高度の前記不確実性は、前記送信機の前記高度からの偏差によって与えられる請求項２６に記載の方法。
【請求項２８】
前記端末のための最終的な位置推定値を決定するための測位のための初期位置推定値として前記座標情報を用いることをさらに備える請求項２４に記載の方法。
【請求項２９】
前記座標情報及び前記不確実性情報に基づいて全地球航法衛星システム（ＧＮＳＳ）のための補助データを得るべきかどうかを決定することをさらに備える請求項２４に記載の方法。
【請求項３０】
前記送信機は、基地局である請求項２４に記載の方法。
【請求項３１】
前記メッセージは、オーバーヘッドメッセージであり、前記受信することは、前記基地局のカバレッジ内の端末に前記基地局によってブロードキャストされた前記オーバーヘッドメッセージを前記端末において受信することを備える請求項３０に記載の方法。
【請求項３２】
無線通信のための装置であって、
送信機によって生成されて無線ネットワーク内の少なくとも１つの受信機に送信されたメッセージを端末において受信し、及び前記メッセージから前記送信機の位置のための座標情報及び不確実性情報を得るように構成された少なくとも１つのプロセッサを備える、無線通信のための装置。
【請求項３３】
前記座標情報は、前記送信機の水平位置のための緯度と経度とを備え、前記不確実性情報は、前記送信機の前記水平位置の不確実性を備える請求項３２に記載の装置。
【請求項３４】
前記座標情報は、前記送信機の高度をさらに備え、前記不確実性情報は、前記送信機の前記高度の不確実性をさらに備える請求項３３に記載の装置。
【請求項３５】
前記送信機の前記水平位置の前記不確実性は、前記送信機の前記緯度及び経度を中心とする円の半径によって与えられ、前記送信機の前記高度の前記不確実性は、前記送信機の前記高度からの偏差によって与えられる請求項３４に記載の装置。
【請求項３６】
無線通信のための方法であって、
基地局によって生成されて前記基地局のカバレッジ内の端末にブロードキャストされたオーバーヘッドメッセージを端末において受信することと、
前記オーバーヘッドメッセージの緯度フィールドから前記基地局の緯度を、経度フィールドから前記基地局の経度を、及び水平位置不確実性フィールドから前記基地局の水平位置の不確実性を得ること、とを備える、無線通信のための方法。
【請求項３７】
前記オーバーヘッドメッセージの高度フィールドから前記基地局の高度を及び垂直位置不確実性フィールドから前記基地局の前記高度の不確実性を得ることをさらに備える請求項３６に記載の方法。
【請求項３８】
前記オーバーヘッドメッセージのインジケータフィールドが第１の値又は第２の値のいずれに設定されているかを決定することと、
前記インジケータフィールドが前記第１の値に設定される場合は前記オーバーヘッドメッセージの前記水平位置不確実性フィールド、前記高度フィールド、及び前記垂直位置不確実性フィールドを読み取ることと、
前記インジケータフィールドが前記第２の値に設定される場合は前記水平位置不確実性フィールド、前記高度フィールド、及び前記垂直位置不確実性フィールドを飛ばすこと、とをさらに備える請求項３７に記載の方法。
【発明の詳細な説明】
【技術分野】
【０００１】
３５Ｕ．Ｓ．Ｃ．§１１９に基づく優先権の主張
本特許出願は、“TRANSMITTERS BROADCASTING THEIR LOCATION INFORMATION AS AN AID TO LOCATION SERVICES”（位置特定サービスの一助として位置情報をブロードキャストする送信機）という題名を両方が有し、これの譲受人に対して譲渡され、ここにおいて引用されることによって明示でここに組み入れられている、米国仮特許出願一連番号第６１／０６１，４２９号（出願日：２００８年６月１３日）及び米国仮特許出願一連番号第６１／０９１，０２３号（出願日：２００８年８月２２日）に対する優先権を主張するものである。
【０００２】
本開示は、概して、通信に関するものである。本開示は、より具体的には、位置情報を送信するための技法に関するものである。
【背景技術】
【０００３】
端末、例えば、携帯電話、の位置を知ることがしばしば望ましく、及び時々必要である。用語“位置（ｌｏｃａｔｉｏｎ）”及び“ポジション（ｐｏｓｉｔｉｏｎ）”は、同意語であり、ここにおいては互換可能な形で用いられる。例えば、クライアントは、端末の位置を知ることを希望することができ及び端末の位置を要求するためにロケーションセンターと通信することができる。これで、ロケーションセンター及び端末は、端末に関する位置推定値を得るために必要に応じてメッセージを交換することができる。次に、ロケーションセンターは、位置推定値をクライアントに返信することができる。
【０００４】
端末の位置は、様々な測位方法に基づいて決定することができる。これらの測位方法のほとんどは、端末の位置の概算の推定値が知られている場合は向上された性能を達成させる（例えば、位置推定値をより高速で提供する）ことができる。端末は、位置特定サーバとの測位セッションを確立し及び位置特定サーバとシグナリングメッセージを交換することによってこの概算の位置推定値を得ることができる。しかしながら、このようにして概算の位置推定値を得るためにシグナリングオーバーヘッド及び追加の遅延を被ることがある。概算の位置推定値をより効率的な方法で得ることが望ましいであろう。
【発明の概要】
【０００５】
位置特定サービスの一助として位置情報を送信するための技法がここにおいて説明される。一設計においては、送信機は、送信機の位置のための座標情報と不確実性情報とを備えるメッセージを生成することができる。座標情報は、送信機の水平位置のための緯度と経度とを備えることができる。不確実性情報は、水平位置の不確実性を備えることができ、それは、送信機の緯度及び経度を中心とする円の半径によって与えることができる。円は、送信機のカバレッジエリア又は送信機又は受信機の位置が特定の信頼度を持って特定されるのを期待することができるエリアを表すことができる。座標情報は、送信機の高度をさらに備えることができる。不確実性情報は、送信機の高度の不確実性をさらに備えることができ、それは、高度からの偏差（ｄｅｖｉａｔｉｏｎ）によって与えることができる。送信機は、無線ネットワーク内の少なくとも１つの受信機にメッセージを送信することができる。一設計においては、送信機は、基地局であることができる。メッセージは、基地局から基地局のカバレッジ内の全端末にブロードキャストすることができるオーバーヘッドメッセージであることができる。メッセージは、基地局から特定の端末に送信することができるユニキャストメッセージであることもできる。
【０００６】
一設計においては、受信機（例えば、端末）は、送信機によって生成されて無線ネットワーク内の少なくとも１つの受信機に送信されたメッセージを受信することができる。受信機は、メッセージから送信機の位置のための座標情報及び不確実性情報を得ることができる。受信機は、受信機のためのより正確な／最終的な位置推定値を決定するための測位のための概算の／初期の位置推定値として座標情報を用いることができる。受信機は、座標情報及び不確実性情報に基づいて全地球航法衛星システム（ＧＮＳＳ）のための補助データを得るべきかどうかを決定することもできる。受信機は、座標情報及び不確実性情報をその他の目的のために用いることもできる。
【０００７】
本開示の様々な態様及び特徴が以下においてさらに詳細に説明される。
【図面の簡単な説明】
【０００８】
【図１】無線ネットワークを示した図である。
【図２】基地局に関する水平位置及び垂直位置の不確実性を示した図である。
【図３】基地局に関する水平及び垂直位置及び水平及び垂直位置の不確実性を示した図である。
【図４】送信機によって位置情報を送信するためのプロセスを示した図である。
【図５】基地局によって位置情報をブロードキャストするためのプロセスを示した図である。
【図６】受信機によって位置情報を受信するためのプロセスを示した図である。
【図７】端末によって位置情報を受信するためのプロセスを示した図である。
【図８】端末及び基地局のブロック図を示した図である。
【発明を実施するための形態】
【０００９】
図１は、ここにおいて説明される技法を実装することができる無線ネットワーク１００を示す。用語“ネットワーク”及び“システム”は、互換可能な形でしばしば用いられる。無線ネットワーク１００は、幾つかの基地局と、その他のネットワークエンティティと、を含むことができる。単純化のために、１つの基地局１２０及び１つのネットワークコントローラ１３０が図１に示される。基地局は、端末と通信する固定局であることができ及びノードＢ、エボルブドノードＢ（ｅｖｏｌｖｅｄ  ＮｏｄｅＢ（ｅＮＢ））、アクセスポイント、等と呼ぶこともできる。基地局は、特定の地理上のエリアのための通信カバレッジを提供することができる。基地局の全体的なカバレッジエリアは、より小さいエリアに分割することができ、及び、各々のより小さいエリアは、各々の基地局サブシステムによってサービスを提供することができる。３ＧＰＰにおいては、用語“セル”は、基地局の最小のカバレッジエリア及び／又はこのカバレッジエリアにサービスを提供する基地局サブシステムを意味することができる。３ＧＰＰ２においては、用語“セクタ”又は“セル−セクタ”は、基地局の最小のカバレッジエリア及び／又はこのカバレッジエリアにサービスを提供する基地局サブシステムを意味することができる。明確化のために、以下の説明の多くにおいては用語“セル”が用いられる。
【００１０】
基地局は、マクロセル、ピコセル、フェムトセル、又は何らかのその他のタイプのセルのための通信カバレッジを提供することができる。マクロセルは、相対的に大きい地理上のエリア（例えば、半径数キロメートル）を網羅することができ及び無線ネットワークにおいてサービス契約を有する端末のための通信をサポートすることができる。ピコセルは、相対的に小さい地理上のエリアを網羅することができ及びサービス契約を有する端末のための通信をサポートすることができる。フェムトセルは、相対的に小さい地理上のエリア（例えば自宅）を網羅することができ及びフェムトセルとの関連づけを有する端末（例えば、自宅の住人に属する端末）のための通信をサポートすることができる。マクロセルのための基地局は、マクロ基地局と呼ぶことができる。ピコセルのための基地局は、ピコ基地局と呼ぶことができる。フェムトセルのための基地局は、フェムト基地局又はホーム基地局と呼ぶことができる。
【００１１】
基地局は、端末、例えば、ブロードキャスト受信機、に情報をブロードキャストするブロードキャスト局であることもできる。基地局は、上流局から情報を受信してその情報を下流局に転送する中継局であることもできる。基地局は、何らかのその他のタイプの局であることもできる。
【００１２】
ネットワークコントローラ１３０は、一組の基地局に結合することができ及びこれらの基地局のための調整及び制御を提供することができる。ネットワークコントローラ１３０は、端末のための様々なサービスをサポートすることができるその他のネットワークエンティティ（図１に示されない）と通信することもできる。
【００１３】
端末１１０は、基地局１２０と通信することができ及び／又は基地局１２０からブロードキャストされた送信を受信することができる。端末１１０は、静止型又は移動型であることができ及び移動局、ユーザ装置、アクセス端末、加入者ユニット、局、等と呼ぶこともできる。端末１１０は、携帯電話、パーソナルデジタルアシスタント（ＰＤＡ）、無線通信デバイス、無線モデム、ハンドヘルドデバイス、ハンドセット、ラップトップコンピュータ、パーソナルコンピュータ（ＰＣ）、ブロードキャスト受信機、等であることができる。
【００１４】
端末１１０は、米国の全地球測位システム（ＧＰＳ）、欧州のガリレオシステム、ロシアのグロナス（ＧＬＯＮＡＳＳ）システム、又は何らかのその他のＧＮＳＳの一部であることができる１つ以上の衛星１４０から信号を受信することもできる。端末１１０は、衛星１４０からの信号を測定すること及び衛星のための疑似距離測定値を得ることができる。端末１１０は、基地局からの信号を測定すること及び基地局のためのタイミング測定値を得ることもできる。疑似距離測定値及び／又はタイミング測定値は、端末１１０のための位置推定値を導き出すために用いることができる。位置推定値は、ポジション推定値、ポジションフィックス、等と呼ぶこともできる。
【００１５】
無線ネットワーク１００は、無線ワイドエリアネットワーク（ＷＷＡＮ）、無線メトロポリタンエリアネットワーク（ｗｉｒｅｌｅｓｓ  ｍｅｔｒｏｐｏｌｉｔａｎ  ａｒｅａ  ｎｅｔｗｏｒｋ）（ＷＭＡＮ）無線ローカルエリアネットワーク（ＷＬＡＮ）、無線パーソナルエリアネットワーク（ＷＬＡＮ）、ブロードキャストネットワーク、等であることができる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク、等であることができる。ＣＤＭＡネットワークは、無線技術、例えば、ｃｄｍａ２０００、ユニバーサル地上無線アクセス（ＵＴＲＡ）、等を実装することができる。ｃｄｍａ２０００は、ＩＳ−２０００規格と、ＩＳ−９５規格と、ＩＳ−８５６規格と、を含む。ＵＴＲＡは、広帯域ＣＤＭＡ（ＷＣＤＭＡ）と、ＣＤＭＡのその他の変形と、を含む。ＴＤＭＡネットワークは、グローバル移動体通信システム（ＧＳＭ）（登録商標）、等の無線技術を実装することができる。ＯＦＤＭＡネットワークは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、Ｆｌａｓｈ−ＯＦＤＭ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）は、Ｅ−ＵＴＲＡを使用するＵＭＴＳの近い将来のリリース版である。ＵＴＲＡ、Ｅ−ＵＴＲＡ、ＵＭＴＳ、ＬＴＥ及びＧＳＭは、“第３世代パートナーシッププロジェクト”（３ＧＰＰ）という名称の組織からの文書において記述されている。ｃｄｍａ２０００及びＵＭＢは、“第３世代パートナーシッププロジェクト２”（３ＧＰＰ２）という名称の組織からの文書において記述されている。ＷＭＡＮは、ＷｉＭＡＸと共通して呼ばれるＩＥＥＥ８０２．１６、等の無線技術を実装することができる。ＷＬＡＮは、ＩＥＥＥ８０２．１１、Ｈｙｐｅｒｌａｎ、等の無線技術を実装することができる。ＩＥＥＥ８０２．１１は、Ｗｉ−Ｆｉと共通して呼ばれる。ブロードキャストネットワークは、ＭｅｄｉａＦＬＯ（登録商標）、ハンドヘルドのためのデジタルビデオブロードキャスティング（Ｄｉｇｉｔａｌ  Ｖｉｄｅｏ  Ｂｒｏａｄｃａｓｔｉｎｇ  ｆｏｒ  Ｈａｎｄｈｅｌｄｓ（ＤＶＢ−Ｈ）、地上テレビ放送のための総合サービスデジタル放送（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ（ＩＳＤＢ−Ｔ）、等の無線技術を実装することができる。
【００１６】
ここにおいて説明される技法は、上述される無線ネットワーク及び無線技術、及びその他の無線ネットワーク及び無線技術のために用いることができる。明確化のため、それらの技法の一定の態様は、以下においてはＩＳ−２０００及びＩＳ−８５６を対象にして説明される。ＩＳ−２０００リリース０及びＡは、ＣＤＭＡ２０００  １Ｘ、又は単に１Ｘと共通して呼ばれる。ＩＳ−２０００リリースＣは、ＣＤＭＡ２０００  １ｘＥＶ−ＤＶ、又は単に１ｘＥＶ−ＤＶと共通して呼ばれる。現在はＩＳ−２０００リリースＥを開発中である。ＩＳ−８５６は、ＣＤＭＡ２０００  １ｘＥＶ−ＤＯ、１ｘＥＶ−ＤＯ、ＥＶ−ＤＯ、高速パケットデータ（ＨＲＰＤ）、高データレート（ＨＤＲ）、等と共通して呼ばれる。
【００１７】
一態様においては、送信機は、位置特定サービスの一助としてその位置情報を送信することができる。送信機は、基地局、端末、等であることができる。位置情報は、送信機の位置を記述することができ及び座標情報と不確実性情報とを備えることができる。
【００１８】
一設計においては、座標情報は、（ｉ）送信機の水平位置のための緯度及び経度、すなわち、Ｘ及びＹ座標、（ｉｉ）送信機の緯度、経度及び高度、すなわち、Ｘ、Ｙ及びＺ座標、（ｉｉｉ）、民生上の位置、例えば、番地、又は（ｉｖ）送信機の位置を記述する何らかのその他の情報を備えることができる。高度は、特に極端な高さ又は深さの地理上の地域、例えば、コロラド州デンバーにおける高高度又はカリフォルニア州デス・バレーにおける低高度、において貴重であることができる。高度は、高さ、標高、垂直位置、等と呼ぶこともできる。
【００１９】
一設計においては、不確実性情報は、水平位置の不確実性及び／又は垂直位置の不確実性を備えることができる。水平位置の不確実性は、座標情報によって与えられるように、送信機の水平位置の不確実性を表すことができる。垂直位置の不確実性は、座標情報によって与えられるように、送信機の高度の不確実性を表すことができる。不確実性情報は、報告された位置の不確実性の量、報告された位置の信頼度を決定する際に、及び／又はその他の目的のために貴重であることができる。
【００２０】
一設計においては、位置情報は、送信機のための水平位置と水平位置の不確実性とを備えることができる。他の設計においては、位置情報は、送信機のための水平位置と、水平位置の不確実性と、垂直位置と、垂直位置の不確実性と、を備えることができる。その他の設計においては、位置情報は、送信機の位置を記述するその他の情報を備えることができる。
【００２１】
図２は、図１の基地局１２０のための水平位置及び水平位置の不確実性を示す。基地局１２０の水平位置は、緯度及び経度によって与えることができる。図２に示される設計においては、水平位置の不確実性は、基地局１２０の緯度及び経度を中心とし及びＲの半径を有する円２１０によって表すことができる。従って、水平位置の不確実性は、半径Ｒによって与えることができる。
【００２２】
水平位置の不確実性は、様々な方法で定義することができる。一設計においては、円２１０は、Ｘパーセントの信頼度のカバレッジエリアとして定義することができ、それは、カバレッジの中心の周囲における円２１０が基地局１２０のカバレッジエリアの少なくともＸパーセントを包含することを意味する。Ｘは、９０、９５、等に等しいことができる。他の設計においては、円２１０は、基地局１２０のカバレッジエリア内の全端末のうちのＸパーセントが所在するエリアとして定義することができる。従って、基地局１２０から位置情報を受信することができる端末は、Ｘパーセントの円１２０内に存在する確率を有する。カバレッジエリアの中心は、基地局１２０の位置とおおまかに関連づけることができる。水平位置の不確実性は、その他の方法で定義することもできる。全設計に関して、水平位置の不確実性は、基地局１２０のカバレッジエリア、セルの大きさ、等に基づいて決定することができる。他方、カバレッジエリアは、様々な要因、例えば、基地局１２０の送信電力レベル、セルのためのアンテナパターン、地形、等、に依存することができる。例えば、マクロセルのための基地局は、相対的に大きな水平位置の不確実性を有することがあり、他方、ピコ又はフェムトセルのための基地局は、相対的に小さい水平位置の不確実性を有することがある。
【００２３】
その他の設計においては、水平位置の不確実性は、円の代わりに楕円、楔形、又はその他の幾何形状によって定義することができる。楕円は、水平位置を中心とすることができ及び半長軸及び半短軸によって定義することができる。楔形は、その端点を水平位置に置くことができ及び半径、角度幅、及び方向によって定義することができる。明確化のため、以下の説明の多くは、水平位置の不確実性のための円の使用を想定する。
【００２４】
図３は、図１の基地局１２０に関する水平位置、水平位置の不確実性、垂直位置、及び垂直位置の不確実性を示す。基地局１２０に関する水平位置及び水平位置の不確実性は、図２のために上述されるように与えることができる。基地局１２０に関する垂直位置は、基準に対する高度によって与えることができる。一設計においては、垂直位置は、１メートルを単位とするＷＧＳ−８４基準楕円体の上方における高度によって与えることができる。図３に示される設計において、垂直位置の不確実性は、報告された高度からの±ΔＺの偏差によって与えることができる。ΔＺは、対応する水平位置の不確実性内における基地局１２０の高度の１シグマの不確実性を表すことができる。垂直位置の不確実性は、その他の方法で定義することもできる。
【００２５】
基地局１２０は、様々な方法でその位置情報を送信することができる。一設計においては、基地局１２０は、基地局１２０のカバレッジエリア内の端末によって受信することができる１つ以上のオーバーヘッドメッセージにおいてその位置情報をブロードキャストすることができる。オーバーヘッドメッセージは、該当する情報、例えば、基地局１２０とともに動作するために用いられる情報、を端末に提供することができる。異なる無線ネットワーク及び無線技術においては異なるチャネルで異なるオーバーヘッドメッセージを送信することができる。ＩＳ−２０００に関しては、オーバーヘッドメッセージは、ページングチャネルにおいて送信されるシステムパラメータメッセージ、主ブロードキャスト制御チャネルにおいて送信されるＭＣ−ＲＲパラメータメッセージ、等であることができる。ＭＣ−ＲＲは、多搬送波無線リソース（ｍｕｔｉ−ｃａｒｒｉｅｒ  ｒａｄｉｏ  ｒｅｓｏｕｒｃｅ）を意味する。
【００２６】
他の設計においては、基地局１２０は、特定の端末に送信されるユニキャストメッセージにおいてその位置情報を送信することができる。位置情報は、異なる無線ネットワーク及び無線技術では異なるユニキャストメッセージにおいて送信することができる。ＩＳ−２０００に関しては、位置情報は、ユニキャストメッセージ、例えば、移動局登録メッセージ、基地局状態応答メッセージ、等、において送信することができる。
【００２７】
テーブル１は、システムパラメータメッセージにおいて基地局１２０のための位置情報を送信する設計を示す。単純化のため、テーブル１は、位置情報のためのフィールド及びシステムパラメータメッセージにおいて送信することができるフィールドの小さい部分組のみを示す。
【表１】
2011524525.tif 000003
【００２８】
ＰＩＬＯＴ＿ＰＮフィールドは、基地局１２０のためのパイロット疑似乱数（ＰＮ）系列オフセットを搬送することができる。ＣＯＮＦＩＧ＿ＭＳＧ＿ＳＥＱフィールドは、システムパラメータメッセージのためのコンフィギュレーションメッセージシーケンス番号を搬送することができる。基地局１２０は、システムパラメータメッセージの内容が変化するごとに常にシーケンス番号を増やすことができる。シーケンス番号は、端末がシステムパラメータメッセージ内の新しい情報を用いてそれらの格納された情報を更新すべきかどうかを決定するためにそれらによって用いることができる。
【００２９】
ＢＡＳＥ＿ＬＡＴフィールドは、基地局１２０の緯度を搬送することができる。基地局１２０は、０．２５秒の単位でその緯度にこのフィールドを設定することができ、２の補数の符号付き数字として表され、正数は北緯を意味する。基地局１２０は、−９０°乃至＋９０°の範囲に相当することができる−１，２９６，０００乃至１，２９６，０００の範囲内の値にこのフィールドを設定することができる。基地局１２０は、その緯度が不明である場合はすべてゼロにこのフィールドを設定することもできる。
【００３０】
ＢＡＳＥ＿ＬＯＮＧフィールドは、基地局１２０の経度を搬送することができる。基地局１２０は、０．２５秒の単位でその経度にこのフィールドを設定することができ、２の補数の符号付き数字として表され、正数は東経を意味する。基地局１２０は、−１８０°乃至＋１８０°の範囲に相当することができる−２，５９２，０００乃至２，５９２，０００の範囲内の値にこのフィールドを設定することができる。基地局１２０は、その経度が不明である場合はすべてゼロにこのフィールドを設定することもできる。
【００３１】
ＩＳ−２０００リリースＤ及びそれ以前においては、ＢＡＳＥ＿ＬＡＴ及びＢＡＳＥ＿ＬＯＮＧフィールドは、ネットワークオペレータの随意に基づいてあらゆる値に設定することができる。ネットワークオペレータは、（水平位置が知られている場合は）基地局１２０の正確な緯度及び経度に又は（水平位置が不明である場合は）不正確な／ランダムな値にこれらのフィールドを設定することができる。誤った緯度及び経度を送信することは、これらのフィールド内の値に依存する端末の性能に対して悪影響を与えることがある。これらのフィールドは、不明な緯度及び経度を示すためにすべてゼロの指定された値に設定することができそして端末によって無視することができる。
【００３２】
ＡＤＤ＿ＬＯＣ＿ＩＮＦＯ＿ＩＮＣＬフィールドは、基地局１２０のための追加の位置情報がシステムパラメータメッセージに含まれているかどうかを示すことができる。基地局１２０は、ＬＯＣ＿ＵＮＣ＿Ｈ、ＨＥＩＧＨＴ、及びＬＯＣ＿ＵＮＣ＿Ｖフィールドがメッセージに含まれていることを示すために“１”に又はそうでない場合は“０” にこのフィールドを設定することができる。
【００３３】
ＬＯＣ＿ＵＮＣ＿Ｈフィールドは、基地局１２０に関する水平位置の不確実性を搬送することができる。このフィールドは、ＡＤＤ＿ＬＯＣ＿ＩＮＦＯ＿ＩＮＣＬフィールドが“１”に設定されている場合はシステムパラメータメッセージに含めることができ、そうでない場合は省略することができる。含まれている場合は、このフィールドは、以下において説明されるように設定することができる。
【００３４】
ＨＥＩＧＨＴフィールドは、基地局１２０の高度を搬送することができる。このフィールドは、ＡＤＤ＿ＬＯＣ＿ＩＮＦＯ＿ＩＮＣＬフィールドが“１”に設定されている場合はシステムパラメータメッセージに含めることができ、そうでない場合は省略することができる。含まれている場合は、基地局１２０は、１メートルの単位で及び−５００メートル乃至１５，８８２メートルの範囲内で、ＷＧＳ−８４基準楕円体上方のその高度にこのフィールドを設定することができる。このフィールドのバイナリ値は、高度プラス５００メートルを搬送することができる。基地局１２０は、その高度が不明である場合はすべて１にこのフィールドを設定することもできる。
【００３５】
ＬＯＣ＿ＵＮＣ＿Ｖフィールドは、基地局１２０に関する垂直位置の不確実性を搬送することができる。このフィールドは、ＡＤＤ＿ＬＯＣ＿ＩＮＦＯ＿ＩＮＣＬフィールドが“１”に設定されている場合はシステムパラメータメッセージに含めることができ、そうでない場合は省略することができる。含まれている場合は、このフィールドは、以下において説明されるように設定することができる。
【００３６】
テーブル２は、ＭＣ−ＲＲパラメータメッセージにおいて基地局１２０のための位置情報を送信する設計を示す。単純化のため、テーブル２は、位置情報のためのフィールド及びＭＣ−ＲＲパラメータメッセージにおいて送信することができるフィールドの小さい部分組のみを示す。
【表２】
2011524525.tif 000004
【００３７】
ＰＩＬＯＴ＿ＰＮフィールド及びＣＯＮＦＩＧ＿ＭＳＧ＿ＳＥＱフィールドは、システムパラメータメッセージに関して上述されるとおりである。ＣＣＨ＿ＩＮＦＯ＿ＩＮＣＬフィールドは、共通チャネル情報のための一組のフィールドがＭＣ−ＲＲパラメータメッセージに含まれていることを示すために“１”に設定することができる。ＢＡＳＥ＿ＬＡＴ及びＢＡＳＥ＿ＬＯＮＧフィールドは、ＣＣＨ＿ＩＮＦＯ＿ＩＮＣＬフィールドが“１”に設定されている場合はＭＣ−ＲＲパラメータメッセージに含めることができる。一設計においては、ＣＣＨ＿ＩＮＦＯ＿ＩＮＣＬフィールドが“１”に設定されている場合はＡＤＤ＿ＬＯＣ＿ＩＮＦＯ＿ＩＮＣＬフィールドもＭＣ＿ＲＲパラメータメッセージに含めることができる。ＡＤＤ＿ＬＯＣ＿ＩＮＦＯ＿ＩＮＣＬフィールドは、ＬＯＣ＿ＵＮＣ＿Ｈ、ＨＥＩＧＨＴ、及びＬＯＣ＿ＵＮＣ＿Ｖフィールドがメッセージに含まれることを示すために“１”に設定することができる。他の設計においては、ＬＯＣ＿ＵＮＣ＿Ｈ、ＨＥＩＧＨＴ及びＬＯＣ＿ＵＮＣ＿Ｖフィールドは、ＣＣＨ＿ＩＮＦＯ＿ＩＮＣＬフィールドが“１”に設定されている場合はメッセージに含めることができ、ＡＤＤ＿ＬＯＣ＿ＩＮＦＯ＿ＩＮＣＬフィールドは省略することができる。ＢＡＳＥ＿ＬＡＴ、ＢＡＳＥ＿ＬＯＮＧ、ＬＯＣ＿ＵＮＣ＿Ｈ、ＨＥＩＧＨＴ及びＬＯＣ＿ＵＮＣ＿Ｖフィールドも、その他の制御フィールド又は機構に基づいてＭＣ＿ＲＲパラメータメッセージにおいて選択的に送信することができる。含まれている場合は、ＭＣ＿ＲＲパラメータメッセージ内のＢＡＳＥ＿ＬＡＴ、ＢＡＳＥ＿ＬＯＮＧ、ＬＯＣ＿ＵＮＣ＿Ｈ、ＨＥＩＧＨＴ及びＬＯＣ＿ＵＮＣ＿Ｖフィールドは、システムパラメータメッセージに関して上述されるように設定することができる。
【００３８】
ＢＡＳＥ＿ＬＡＴ及びＢＡＳＥ＿ＬＯＮＧフィールドは、ＩＳ−２０００リリースＤ及びそれ以前におけるシステムパラメータメッセージ及びＭＣ＿ＲＲパラメータメッセージに含まれている。ＩＳ−２０００リリースＥ及びそれ以降におけるシステムパラメータメッセージ及びＭＣ＿ＲＲパラメータメッセージには追加のＡＤＤ＿ＬＯＣ＿ＩＮＦＯ＿ＩＮＣＬ、ＬＯＣ＿ＵＮＣ＿Ｈ、ＨＥＩＧＨＴ及びＬＯＣ＿ＵＮＣ＿Ｖフィールドを含めることができる。追加のフィールドは、システムパラメータメッセージ及びＭＣ＿ＲＲパラメータメッセージの最後に含めることができ、それは、ＩＳ−２０００のそれ以前のリリースとの後方互換性（ｂａｃｋｗａｒｄ  ｃｏｍｐａｔｉｂｉｌｉｔｙ）をサポートすることができる。追加のフィールドは、これらのメッセージのその他の部分にも含めることができる。例えば、追加のフィールドは、ＭＣ＿ＲＲパラメータメッセージ内の共通チャネル情報のためのフィールドの組内に含めることができる。
【００３９】
テーブル３は、一設計による水平ポジションの不確実性を与える。基地局１２０は、テーブル３において明示されるようにＬＯＣ＿ＵＮＣ＿Ｈフィールドを円形の水平位置の不確実性に設定することができる。ＬＯＣ＿ＵＮＣ＿Ｈフィールドの値は、円形の９５％信頼度のカバレッジエリアの半径を示すことができる。基地局１２０は、水平位置が不明である場合はＬＯＣ＿ＵＮＣ＿Ｈフィールドをすべて１に設定することができる。代替として、ＬＯＣ＿ＵＮＣ＿Ｈフィールド及びＨＥＩＧＨＴ及びＬＯＣ＿ＵＮＣ＿Ｖフィールドは、水平位置が不明である場合は省略することができる。テーブル３において、“ｍ”はメートルを表す。
【表３】
2011524525.tif 000005
【００４０】
テーブル４は、一設計による垂直ポジションの不確実性を与える。基地局１２０は、テーブル４において明示されるようにＬＯＣ＿ＵＮＣ＿Ｖフィールドを垂直位置の不確実性に設定することができる。このフィールドの値は、対応する水平方向のカバレッジエリア内のＨＥＩＧＨＴフィールドにおいて与えられる高度の１シグマの不確実性を示すことができる。基地局１２０は、その高度が不明である場合はＬＯＣ＿ＵＮＣ＿Ｖフィールドをすべて１に設定することができる。
【表４】
2011524525.tif 000006
【００４１】
テーブル３及び４は、ＬＯＣ＿ＵＮＣ＿Ｈ及びＬＯＣ＿ＵＮＣ＿Ｖフィールドの設計例を示す。これらの位置不確実性フィールドは、その他の方法で、例えばより少ない又はより多いビットを用いて定義することもできる。
【００４２】
基地局１２０は、特定の端末に対して、移動局登録メッセージ、基地局状態応答メッセージ、又は何らかのその他のユニキャストメッセージにおいてその位置情報を送信することもできる。位置情報は、ＢＡＳＥ＿ＬＡＴ、ＢＡＳＥ＿ＬＯＮＧ、ＬＯＣ＿ＵＮＣ＿Ｈ、ＨＥＩＧＨＴ及びＬＯＣ＿ＵＮＣ＿Ｖフィールドにおいて送信することができ、これらは、上述されるように設定することができる。
【００４３】
端末１１０は、１つ以上の基地局からオーバーヘッドメッセージ及び／又はユニキャストメッセージを受信することができる。各基地局からのオーバーヘッド及び／又はユニキャストメッセージは、その基地局のための位置情報を含むことができる。各オーバーヘッドメッセージに関して、端末１１０は、そのオーバーヘッドメッセージのシーケンス番号がそのタイプのオーバーヘッドメッセージのために端末１１０において格納されたシーケンス番号と一致するかどうかを決定することができる。一致が存在する場合は、端末１１０は、オーバーヘッドメッセージを無視／廃棄することができる。不一致が存在する場合は、端末１１０は、オーバーヘッドメッセージ内の情報を格納することができる。例えば、端末１１０は、ＢＡＳＥ＿ＬＡＴ及びＢＡＳＥ＿ＬＯＮＧフィールドにおいて送信された水平位置を格納することができる。端末１１０は、ＬＯＣ＿ＵＮＣ＿Ｈフィールド、ＨＥＩＧＨＴフィールド、及びＬＯＣ＿ＵＮＣ＿Ｖフィールドがオーバーヘッドメッセージに含まれている場合は、そのＬＯＣ＿ＵＮＣ＿Ｈフィールドにおいて送信された水平位置の不確実性、ＨＥＩＧＨＴフィールドにおいて送信された垂直位置、及びＬＯＣ＿ＵＮＣ＿Ｖフィールドにおいて送信された垂直位置の不確実性を格納することができる。端末１１０は、異なるシーケンス番号を有するオーバーヘッドメッセージが各基地局から受信されるごとに常にその基地局のための位置情報を更新することができる。端末１１０は、端末１１０に対して各基地局によって送信されたユニキャストメッセージに含まれる位置情報に基づいてその基地局のための位置情報を更新することもできる。
【００４４】
端末１１０は、１つ以上の測位方法、例えば、ＧＰＳ、アシスト型ＧＰＳ（Ａ−ＧＰＳ）、アドバンスト順方向リンク三角測量（Ａｄｖａｎｃｅｄ  Ｆｏｒｗaｒｄ  Ｌｉｎｋ  Ｔｒｉｌａｔｅｒａｔｉｏｎ）（ＡＦＬＴ）、エンハンストされた観測された時間差（Ｅｎｈａｎｃｅｄ  Ｏｂｓｅｒｖｅｄ  Ｔｉｍｅ  Ｄｉｆｆｅｒｅｎｃｅ（Ｅ−ＯＴＤ）、観測された到着時間差（Ｏｂｓｅｒｖｅｄ  Ｔｉｍｅ  Ｄｉｆｆｅｒｅｎｃｅ  Ｏｆ  Ａｒｒｉｖａｌ（ＯＴＤＯＡ）、等、をサポートすることができる。測位は、端末１１０であることができるターゲットのために位置推定値を決定するプロセスを意味する。ＧＰＳは、ＧＰＳ、ガリレオ、ＧＬＯＮＡＳＳ、及び／又は何らかのその他のＧＮＳＳからの衛星に関する測定値に基づく測位方法である。Ａ−ＧＰＳは、ネットワークからの補助データを用いた衛星測定値に基づく測位方法である。ＡＦＬＴ、ＯＴＤＯＡ及びＥ−ＯＴＤは、基地局のための測定値に基づく測位方法である。測位は、衛星と基地局の組み合わせのための測定値に基づいて行うこともできる。
【００４５】
ほとんどの、ただしすべてではない端末に基づく測位方法、例えば、ＧＰＳ、Ａ−ＧＰＳ、ＡＦＬＴ、等、は、端末１１０の位置の概算の推定値又は基準位置が位置決定前に知られている場合は向上された性能を達成させることができる。基準位置は、端末１１０によって受信された基地局の位置であることができる。端末１１０は、測位プロトコル、例えば、ＩＳ−８０１、無線リソースＬＣＳプロトコル（ＲＲＬＰ）、無線リソース制御（ＲＲＣ）、汎用測位プロトコル（ＧＰＰ）、等、を介して位置特定サーバとの測位セッションを確立することができる。端末１１０は、測位セッション中に位置特定サーバから基準位置を得ることができる。しかしながら、このようにして基準位置を得ることは、（ｉ）測位セッションを確立するためにネットワークリソースを消費する及び（ｉｉ）位置特定サーバから基準位置が受信されるまで測位を遅延させることがある。
【００４６】
端末１１０は、基地局によって送信された位置情報から基準位置をより簡単に得ることができる。端末１１０は、基準位置を測位方法のための初期の位置推定値として用いることができ、それは、端末１１０のための最終的な位置推定値を繰り返し計算することができる。基準位置の入手可能性は、端末１１０のための最終的な位置推定値を得るための時間の量を低減させることができる。
【００４７】
不確実性情報は、その他の目的のためにも有用であることができる。例えば、端末１１０は、衛星のための、例えば、ＧＰＳ衛星のための、ナビゲーションモデルを維持することができる。ナビゲーションモデルは、衛星の軌道を予測するために用いることができ及びモデルに依存して長期間、例えば、時間、日、又は週、の間有効であることができる。不確実性情報は、端末１１０に格納されたナビゲーションモデルが依然として有効であるかを決定するために用いることができ、有効である場合は、端末１１０は、ナビゲーションモデルを更新するための補助データを得るために位置特定サーバと通信する必要がない。このため、不確実性情報は、端末１１０が補助データを得るために必要な時間数を低減させるために用いることができ、それは、測位のためのシグナリングオーバーヘッドを低減させ及び遅延を回避することができる。
【００４８】
図４は、基地局、端末、又は何らかのその他のエンティティであることができる送信機によって位置情報を送信するためのプロセス４００の設計を示す。送信機は、送信機の位置のための座標情報と不確実性情報とを備えるメッセージを生成することができる（ブロック４１２）。送信機は、無線ネットワークにおける少なくとも１つの受信機にメッセージを送信することができる（ブロック４１４）。
【００４９】
一設計においては、座標情報は、送信機の水平位置のための緯度と経度とを備えることができる。不確実性情報は、例えば、図２に示されるように、送信機の水平位置の不確実性を備えることができ、それは、送信機の緯度及び経度を中心とする円の半径によって与えることができる。円は、上述されるように定義することができる。座標情報は、送信機の高度をさらに備えることができる。不確実性情報は、例えば図３に示されるように、送信機の報告された高度の不確実性をさらに備えることができ、それは、送信機の高度からの偏差によって与えることができる。
【００５０】
一設計においては、メッセージは、（ｉ）送信機の緯度又はその緯度が不明である場合は指定された値（例えば、すべてゼロ）を搬送する緯度フィールドと、（ｉｉ）送信機の経度又はその経度が不明である場合に指定された値（例えば、すべてゼロ）を搬送する緯度フィールドと、を備えることができる。メッセージは、送信機の高度又はその高度が不明である場合は指定された値（例えば、すべて１）を搬送する高度フィールドをさらに備えることができる。メッセージは、（ｉ）送信機の水平位置の不確実性を搬送する水平位置不確実性フィールドと、（ｉｉ）送信機の高度の不確実性を搬送する垂直位置不確実性フィールドとを備えることができる。
【００５１】
送信機は、基地局であることができ、少なくとも１つの受信機は、少なくとも１つの端末であることができる。一設計においては、メッセージは、基地局から基地局のカバレッジ内の端末にブロードキャストすることができるオーバーヘッドメッセージであることができる。オーバーヘッドメッセージは、ＩＳ−２０００におけるシステムパラメータメッセージ又はＭＣ−ＲＲパラメータメッセージ又はその他の無線技術における何らかのその他のメッセージであることができる。他の設計においては、メッセージは、基地局から特定の端末に送信することができるユニキャストメッセージであることができる。ユニキャストメッセージは、ＩＳ−２０００における移動局登録メッセージ又は基地局状態応答メッセージ又はその他の無線技術における何らかのその他のメッセージであることができる。
【００５２】
図５は、基地局によって位置情報をブロードキャストするためのプロセス５００の設計を示す。基地局は、基地局の緯度を搬送する緯度（例えば、ＢＡＳＥ＿ＬＡＴ）フィールド、基地局の経度を搬送する経度（例えば、ＢＡＳＥ＿ＬＯＮＧ）フィールド、及び基地局の水平位置の不確実性を搬送する水平位置不確実性（例えば、ＬＯＣ＿ＵＮＣ＿Ｈ）フィールドを生成することができる（ブロック５１２）。オーバーヘッドメッセージは、基地局の高度を搬送する高度フィールド（例えば、ＨＥＩＧＨＴ）と基地局の高度の不確実性を搬送する垂直位置不確実性フィールド（例えば、ＬＯＣ＿ＵＮＣ＿Ｖ）とをさらに備えることができる。オーバーヘッドメッセージは、（ｉ）水平位置不確実性フィールドと、高度フィールドと、垂直位置不確実性フィールドとを含むオーバーヘッドメッセージを示すための第１の値に又は（ｉｉ）水平位置不確実性フィールド、高度フィールド、及び垂直位置不確実性フィールドを省略するオーバーヘッドメッセージを示すための第２の値に設定することができるインジケータ（例えば、ＡＤＤ＿ＬＯＣ＿ＩＮＦＯ＿ＩＮＣＬ）フィールドをさらに備えることができる。基地局は、基地局のカバレッジ内の端末にオーバーヘッドメッセージをブロードキャストすることができる（ブロック５１４）。
【００５３】
図６は、端末又は何らかのその他のエンティティであることができる受信機によって位置情報を受信するためのプロセス６００の設計を示す。受信機は、送信機によって生成されて無線ネットワーク内の少なくとも１つの受信機に送信されたメッセージを受信することができる（ブロック６１２）。受信機は、メッセージから送信機の位置のための座標情報及び不確実性情報を得ることができる（ブロック６１４）。受信機は、受信機のための最終的な位置推定値を決定するための測位のための初期位置推定値として座標情報を用いることができる（ブロック６１６）。受信機は、座標情報及び不確実性情報に基づいてＧＮＳＳ（例えば、ＧＰＳ）のための補助データを得るべきかどうかを決定することもできる。受信機は、座標情報及び不確実性情報をその他の目的のために用いることもできる。
【００５４】
一設計においては、座標情報は、送信機の水平位置のための緯度と経度とを備えることができ、及び、不確実性情報は、水平位置の不確実性を備えることができる。座標情報は、送信機の高度をさらに備えることができ、及び、不確実性情報は、送信機の高度の不確実性をさらに備えることができる。
【００５５】
送信機は、基地局であることができ、及び、受信機は、端末であることができる。メッセージは、基地局のカバレッジ内の端末に基地局によってブロードキャストすることができるオーバーヘッドメッセージを備えることができる。メッセージは、特定の端末に基地局によって送信することができるユニキャストメッセージを備えることもできる。
【００５６】
図７は、端末によって位置情報を受信するためのプロセス７００の設計を示す。端末は、基地局によって生成されて基地局のカバレッジ内の端末にブロードキャストされたオーバーヘッドメッセージを受信することができる（ブロック７１２）。端末は、オーバーヘッドメッセージの緯度フィールドから基地局の緯度を、経度フィールドから基地局の経度を、及び水平位置不確実性フィールドから基地局の水平位置の不確実性を得ることができる（ブロック７１４）。端末は、オーバーヘッドメッセージの高度フィールドから基地局の高度を及び垂直位置不確実性フィールドから基地局の高度の不確実性を得ることもできる。端末は、オーバーヘッドメッセージのインジケータフィールドが第１の値又は第２の値のいずれに設定されているかを決定することができる。端末は、インジケータフィールドが第１の値、例えば、“１”、に設定されている場合は水平位置不確実性フィールド、高度フィールド、及び垂直位置不確実性フィールドを読み取ることができる。端末は、インジケータフィールドが第２の値、例えば、“０”、に設定されている場合は水平位置不確実性フィールド、高度フィールド、及び垂直位置不確実性フィールドを飛ばすことができる。端末は、端末のための最終的な位置推定値を決定するための測位のための初期位置推定値として基地局の緯度及び経度を用いることができる（ブロック７１６）。端末は、基地局のための位置情報をその他の目的のために用いることもできる。
【００５７】
図８は、図１の端末１１０及び基地局１２０の設計のブロック図を示す。端末１１０において、モデムプロセッサ８２４は、端末１１０によって送信されるデータを受信し、データを処理（例えば、符号化及び変調）し、出力サンプルを生成することができる。送信機８３２は、出力サンプルをコンディショニング（例えば、アナログに変換、フィルタリング、増幅、及び周波数アップコンバージョン）し、逆方向リンク信号を生成することができ、それは、基地局１２０に送信することができる。順方向リンクにおいては、端末１１０は、基地局１２０から順方向リンク信号を受信することができる。受信機８３６は、受信された信号をコンディショニング（例えば、フィルタリング、増幅、周波数ダウンコンバージョン、及びデジタル化）して入力サンプルを提供することができる。モデムプロセッサ８２４は、入力サンプルを処理（例えば、復調及び復号）し、復号されたデータを提供することができる。モデムプロセッサ８２４は、基地局１２０によって利用される無線技術（例えば、ＩＳ−２０００、ＷＣＤＭＡ、Ｅ−ＵＴＲＡ、８０２．１１、８０２．１６、等）に準拠して処理を行うことができる。デジタル信号プロセッサ８２６は、端末１１０のために様々なタイプの処理、例えば、端末１１０のための位置推定値を決定するための測位、を行うことができる。
【００５８】
ＧＰＳ受信機８３８は、衛星１４０から信号を受信及び測定することができる。測定値は、端末１１０のための正確な位置推定値を得るために（例えば、プロセッサ８２６によって）処理することができる。初期位置推定値又は基準位置は、基地局１２０から受信された位置情報に基づいて決定することができる。
【００５９】
コントローラ／プロセッサ８２０は、端末１１０における動作を指示することができる。プロセッサ８２０、８２４及び／又は８２６は、図４におけるプロセス４００、図６におけるプロセス６００、図７におけるプロセス７００、及び／又はここにおいて説明される技法のためのその他のプロセスを実行又は指示することができる。メモリ８２２は、端末１１０のためのプログラムコード及びデータを格納することができる。メモリ８２２は、各基地局から受信されたオーバーヘッド及び／又はユニキャストメッセージから得られた基地局のための位置情報を格納することができる。プロセッサ８２０、８２４及び８２６及びメモリ８２２は、特定用途向け集積回路（ＡＳＩＣ）８１０において実装することができる。
【００６０】
単純化のため、図８は、基地局１２０のための１つのコントローラ／プロセッサ８４０、１つのメモリ８４２、１つの受信機／送信機８４４、及び１つの通信（Ｃｏｍｍ）ユニット８４６を示す。概して、基地局１２０は、あらゆる数のコントローラ、プロセッサ、メモリ、送信機、受信機、通信ユニット、等を含むことができる。コントローラ／プロセッサ８４０は、端末との通信のための様々な機能を果たすことができ、メモリ８４２は、アクセスネットワーク１２０のためのプログラムコード及びデータを格納することができ、送信機／受信機８４４は、端末との無線通信をサポートすることができ、及び通信ユニット８４６は、その他のネットワークエンティティとの通信をサポートすることができる。プロセッサ８４０は、図４におけるプロセス４００、図５におけるプロセス５００、図６におけるプロセス６００、及び／又はここにおいて説明される技法のためのその他のプロセスを実行又は指示することができる。メモリ８４２は、基地局１２０のための位置情報を格納することができる。
【００６１】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそのあらゆる組合せによって表すことができる。
【００６２】
ここにおける開示と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、様々な例示的コンポーネント、ブロック、モジュール、回路、及びステップが、各々の機能の観点で一般的に上述されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、該実装決定は、本開示の適用範囲からの逸脱を生じさせるものであるとは解釈すべきではない。  
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる適切な構成、として実装することも可能である。
【００６３】
ここにおける開示と関係させて説明される方法又はアルゴリズムのステップは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサに結合することができ、このため、プロセッサは、記憶媒体から情報を読み出すこと及び記憶媒体に情報を書き込むことができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【００６４】
１つ以上の典型的な設計において、説明される機能は、ハードウェア、ソフトウェア、ファームウェア、又はその組み合わせにおいて実装することができる。ソフトウェアにおいて実装される場合は、これらの機能は、コンピュータによって読み取り可能な媒体に格納すること又は１つ以上の命令又は符号として送信することができる。コンピュータによって読み取り可能な媒体は、コンピュータ記憶媒体と、１つの場所から他の場所へのコンピュータプログラムの転送を容易にするあらゆる媒体を含む通信媒体との両方を含む。記憶媒体は、汎用又は特殊目的のコンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は汎用又は特殊目的のコンピュータ又は汎用又は特殊目的のプロセッサによってアクセス可能な命令又はデータ構造の形態で希望されるプログラムコード手段を搬送又は格納するために用いることができるその他の媒体、を備えることができる。さらに、いずれの接続もコンピュータによって読み取り可能な媒体であるとすることが適切にできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、通常はレーザを用いて光学的にデータを複製する。上記の組合せも、コンピュータによって読み取り可能な媒体の適用範囲に含めるべきである。
【００６５】
本開示に関する前の説明は、当業者が本開示を製造又は使用することを可能にするために提供される。本開示に対する様々な修正は、当業者にとって容易に明確になるであろう、及びここにおいて定められる一般原理は、本開示の適用範囲を逸脱せずにその他の変形に対しても適用することができる。以上のように、本開示は、ここにおいて説明される例及び設計に限定されることが意図されるものではなく、ここにおいて開示される原理及び斬新な特徴に一致する限りにおいて最も広範な適用範囲が認められるべきである。
【図１】
2011524525.tif 000007
【図２】
2011524525.tif 000008
【図３】
2011524525.tif 000009
【図４】
2011524525.tif 000010
【図５】
2011524525.tif 000011
【図６】
2011524525.tif 000012
【図７】
2011524525.tif 000013
【図８】
2011524525.tif 000014
【国際調査報告】
2011524525.tif 000015
2011524525.tif 000016